(57)【特許請求の範囲】
【請求項１】
清掃用の洗浄液を保持する缶を移動可能に保持する缶キャリーであって、
缶を載置する載置面を有する本体を含み、
前記本体は、前記載置面に連続して設けられ、当該缶キャリーを複数相互に前記載置面方向に接続するための接続手段を含み、
前記接続手段は前記載置面方向に交わる上下方向に突出する一対の凸部と、前記一対の凸部に係合する一対の凹部とを含み、
前記一対の凸部と、前記一対の凸部に係合する一対の凹部の中心は同一円周上に存在し、
前記載置面は、矩形状であり、前記接続手段は前記矩形の頂点において、矩形を構成する辺の延在する方向に交わる方向に延在する、缶キャリー。
【請求項２】
前記載置面に載置された缶を所定の位置に保持するための保持手段含む、請求項１に記載の缶キャリー。
【請求項３】
前記接続手段は前記載置面方向に交わる上下方向に突出する一対の凸部と、前記一対の凸部に係合する一対の凹部とを含む、請求項１または２に記載の缶キャリー。
【請求項４】
前記本体は全体として卍状、または、逆卍状である、請求項１から３のいずれかに記載の缶キャリー。
【請求項５】
前記本体の中央部には貫通孔が設けられる、請求項１から４のいずれかに記載の缶キャリー。
【請求項６】
清掃用の洗浄液を保持する缶を移動可能に保持する缶キャリーであって、
缶を載置する載置面を有する本体を含み、
前記本体は、前記載置面に連続して設けられ、当該缶キャリーを複数相互に前記載置面方向に接続するための接続手段とを含み、
前記載置面はそれぞれが所定の幅を有する同一形状の４個の曲線を含む部材で構成され、
前記４個の曲線を含む部材は、相互にその端部で接続され、その中央部において相互に近接し、
前記接続手段は前記載置面方向に交わる上下方向に突出する一対の凸部と、前記一対の凸部に係合する一対の凹部とを含み、
前記一対の凸部と、前記一対の凸部に係合する一対の凹部の中心は同一円周上に存在し、
前記載置面は、矩形状であり、前記接続手段は前記矩形の頂点において、矩形を構成する辺の延在する方向に交わる方向に延在する、缶キャリー。
【発明の詳細な説明】
【技術分野】
【０００１】
この発明は、清掃用の洗浄液を保持したバケツ等を移動可能に保持する缶キャリーに関し、特に、作業性のよい缶キャリーに関する。
【背景技術】
【０００２】
従来から、モップ等によって清掃作業をする際に洗浄液を保持したバケツを移動可能に保持する缶キャリーが提供されている。缶キャリーは台車状であり、洗浄液を保持したバケツのような缶を載置する載置面を有する載置部と、載置部から上方向に延在して設けられた把手部と、載置部の下面に設けられた複数のキャスタと含む。載置台の上にバケツが保持された状態で缶キャリーを把持部で押すことによって移動させる。
【発明の開示】
【発明が解決しようとする課題】
【０００３】
従来の洗浄液を保持したバケツを移動可能に保持する缶キャリーは上記のように構成されていた。このような缶キャリーであれば、大量の洗剤等が必要なときに複数の缶キャリーを移動させようとしても、一人では容易に移動できず、また、これらを複数保管するときには個々の缶キャリーを平面上に隣接して収容する必要があり、大きな収納スペースが必要になるという問題があった。
【０００４】
この発明は上記のような問題点に鑑みてなされたもので、使用者にとって使い易い缶キャリーを提供することを目的とする。
【課題を解決するための手段】
【０００５】
この発明に係る缶キャリーは、清掃用の洗浄液を保持する缶を移動可能に保持する。缶キャリーは、缶を載置する載置面を有する本体を含み、本体は、載置面に連続して設けられ、当該缶キャリーを複数相互に載置面方向に接続するための接続手段を含む。
【０００６】
この発明においては、缶キャリーを複数、相互に載置面方向に接続できるため、複数の缶キャリーを一括して移動や収納が可能になる。
【０００７】
その結果、使用者にとって使い易い缶キャリーを提供できる。
【０００８】
好ましくは、載置面に載置された缶を所定の位置に保持するための保持手段含む。
【０００９】
さらに好ましくは、接続手段は面方向に交わる上下方向に突出する一対の凸部と、一対の凸部に係合する一対の凹部とを含む。
【００１０】
なお、載置面は、矩形状であり、接続手段は矩形の頂点において、矩形を構成する辺の延在する方向に交わる方向に延在するのが好ましい。
【００１１】
また、本体は全体として卍状、または、逆卍状であるのが好ましく、本体の中央部には貫通孔を設けてもよい。
【００１２】
この発明の他の局面においては、清掃用の洗浄液を保持する缶を移動可能に保持する缶キャリーは、缶を載置する載置面を有する本体を含む。本体は、載置面に連続して設けられ、当該缶キャリーを複数相互に載置面方向に接続するための接続手段とを含む。載置面はそれぞれが所定の幅を有する同一形状の４個の曲線状部材で構成され、４個の曲線状部材は、相互にその端部で接続され、その中央部において相互に近接する。
【発明を実施するための最良の形態】
【００１３】
以下、この発明の実施の形態を、図面を参照して説明する。図１はこの発明の一実施の形態に係る缶キャリーの全体構成を示す図である。図１（Ａ）は平面図であり、図１（Ｂ）は図１（Ａ）において矢印Ｂ−Ｂで示す部分の側面図、および、一部断面図である。
【００１４】
図１を参照して、缶キャリー１０は、洗浄液を保持可能な、図示のない缶を載置する載置面を有する本体１１と、本体１１の下面に設けられ、本体１１を移動させるための４つのキャスタ１６ａ〜１６ｄとを含む。本体１１は、全体としてみたとき、中央部に変形された矩形状または曲線状の辺１２ａ〜１２ｄを有する卍状であり、中央部に同様の形状の貫通孔１２ｅが設けられている。なお、これらの辺の幅寸法は等しいのが好ましい。また、缶キャリー１０は樹脂で構成されるのが好ましい。ここでは、缶キャリー１０は全体として点対称形であるが、これに限るものではない。卍状を構成する十字の４つの先端部１１ａ〜１１ｄ近傍には清掃用の洗浄液を収容した円筒状の缶を保持するための缶保持部２０ａ〜２０ｄが設けられている。十字の先端部１１ａ〜１１ｄから左横方向には半円形の先端部を有する突出部１３ａ〜１３ｄが設けられている。なお、ここでは、載置面は、点線３１で示される、缶が載置された場合の位置の内部である。
【００１５】
缶保持部２０ａ〜２０ｄは、図中点線で示す円形の缶の側面を、図１（Ｂ）において矢印で示す缶の中心方向に押す押圧部２１と、押圧部２１が缶の側面を押圧できるように付勢するばね等を収容するとともに押圧部２１を支持する支持部２２と、押圧部２１の反対側に設けられたキャスタ取付け部２３とを備える。押圧部２１は、上下方向に延在する部分を有し、上部がキャスタ側に拡がるような形状となっているため、上部から缶を容易に本体１１の中央に位置決め可能である。また、図に示すように、押圧部２１の上部は円形であるのが好ましい。なお、４つの押圧部２０ａ〜２０ｄは、缶キャリー１０が点対称となる点を中心とした円周上に位置する。
【００１６】
キャスタ取付け部２３は扁平状の板でありキャスタ１６に設けられたボルト１７を貫通させる貫通孔と、貫通孔から突出したボルト１７にナット１８を取付けたときの座となる部分とを有している。図１（Ｂ）においては、この部分を参照番号１６ｄ〜１８ｄ、２０ｄ〜２３ｄで示す。
【００１７】
突出部１３ａ〜１３ｄのうち、対向する位置に設けられる突出部１３ａと１３ｃの中央部には円形の貫通孔１４ａ、１４ｃを有している。また、これらに隣接する突出部１３ｂと１３ｄとは下向きの突起部１５ｂ，１５ｄを有している。これら４つの突出部１３ａ〜１３ｄに設けられた２つの貫通孔１４ａ，１４ｃ、および、２つの突起部１５ｂ，１５ｄの中心は同一円周上に存在し、この円の中心は缶キャリー１０の点対称の中心となる点である。
【００１８】
なお、突出部１３ａ〜１３ｄは、十字の先端部１１ａ〜１１ｄから右横方向に設けられてもよい。また、ここでは、本体１１の中央部を、４個の曲線とそれに繋がる辺とからなる変形された矩形状である例について説明したが、これに限らず、任意の形状であってもよい。たとえば、曲線を含まない矩形状としてもよいし、それぞれが円周の１／４からなるような、同一形状の４個の曲線で構成し、これらが、相互にその端部で接続され、元の円とは反対に、それぞれの円弧の中央部において相互に近接する形状としてもよい。
【００１９】
図２（Ａ）、（Ｂ）は突出部１３ｂに設けられた突起部１５ｂと、突出部１３ｃに設けられた貫通孔１４ｃの詳細を示す図であり、図１（Ｂ）においてＩＩＡ、ＩＩＢで示す部分の拡大図である。図２（Ａ）および（Ｂ）を参照して、突起部１５ｂと貫通孔１４ｃとは、突起部１５ｂが貫通孔１４ｃにちょうど嵌りあい、相互に接続可能な寸法となっている。したがって、突起部（凸部）１５ｂと貫通孔１４ｃとは接続手段を構成する。
【００２０】
また、突出部１３ｂの突起部１５ｂと突起部１５ｂの上に設けられた鍔１５ｃを有する部分との厚さは等しく（図中ｄで示す）、本体１１の厚さの約半分である。同様に、突出部１３ｃの貫通孔１４ｃが設けられた部分と貫通孔が設けられない部分（突起部よりも径が大きい部分）との厚さは等しい（図中ｄで示す）。したがって、突起部１５ｂは貫通孔１４ｃに嵌りあい、接続されたときは、接続部の厚さは、本体１１の厚さにほぼ等しくなる。なお、図に示すように、貫通孔１４ｃの周囲には壁１４ｂの上面が設けられており、この壁１４ｂの上面に鍔１５ｃが位置する。
【００２１】
図３は、複数の缶キャリー１０ａ〜１０ｃ…を、それぞれの突起部と貫通孔とで接続した状態を示す図である。図に示すように、それぞれの本体の上に缶を保持した状態で複数の缶キャリー１０ａ〜１０ｃ…を相互に接続できるため、複数の缶キャリーを一体として移動、または、保管が可能である。
【００２２】
なお、ここでは、缶キャリー１０を１つづつ接続しているが、１つの缶キャリー１０に複数の缶キャリーを接続してもよい。
【００２３】
次に、この発明の他の実施の形態について説明する。図４は、この発明の他の実施の形態に係る缶キャリー３０を示す平面図であり、先の実施の形態の図１（Ａ）に対応する。図４を参照して、この実施の形態においては、缶キャリー３０は、全体として卍状ではなく、十字状であり、十字の端部に突出する方向に接続用の突出部が設けられている。それ以外の部分は、基本的に先の実施の形態と同様であるので、その説明は省略する。
【００２４】
この実施の形態においても、先の実施の形態と同様に、４つの接続用の突出部を有するため、複数の缶キャリー３０を一体として移動等が可能になる。
【００２５】
次に、この発明のさらに他の実施の形態について説明する。図５は、この発明のさらに他の実施の形態に係る缶キャリー４０を示す平面図であり、先の実施の形態の図１（Ａ）に対応する。図５を参照して、この実施の形態においては、缶キャリー３０は、全体として卍状ではなく、正方形状であり、その４隅に接続用の接続部が設けられている。この実施の形態においては、接続部は突出部ではない。また、全体形状を除いて、基本的な部分は、先の実施の形態と同様であるので、その説明は省略する。この場合も先の実施の形態と同様の効果を奏する。
【００２６】
なお、上記実施の形態においては、接続部となる突出部を９０度ごとに４箇所設け、相互に対向する位置に突起部、または、貫通孔を設けたが、これに限らず、突起部と貫通孔とをそれぞれ連続して設けてもよい。
【００２７】
また、上記実施の形態においては、接続部となる突出部が円形である場合について説明したが、これに限らず、任意の形状としてもよい。
【００２８】
また、上記実施の形態においては、突起部を受ける部分が貫通孔である場合について説明したが、これに限らず、底部を有する凹部であってよい。
【００２９】
上記実施の形態においては、複数の缶キャリーを、それぞれの１箇所の突起部と貫通孔とで接続した例について説明したが、これに限らず、可能な場合は、２箇所の突起部と貫通孔とで接続してもよい。
【００３０】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００３１】
この発明に係る缶キャリーは、缶を保持した状態で複数を接続可能であるため、清掃用具として有利に使用される。
【図面の簡単な説明】
【００３２】
【図１】この発明の一実施の形態に係る缶キャリーの全体構成を示す図である。
【図２】突出部の詳細を示す図である。
【図３】複数の缶キャリーを接続した状態を示す図である。
【図４】この発明の他の実施の形態に係る缶キャリーの全体構成を示す図である。
【図５】この発明のさらに他の実施の形態に係る缶キャリーの全体構成を示す図である。
【符号の説明】
【００３３】
１０，３０，４０  缶キャリー、１１  本体、１２  辺、１３  突出部、１４  貫通孔、１５  突起部、１６  キャスタ、１７  ボルト、１８  ナット、２０  缶保持部、２１  押圧部、２２  支持部、２３  キャスタ取付け部。
【図１】
0005319937.tif 000002
【図２】
0005319937.tif 000003
【図３】
0005319937.tif 000004
【図４】
0005319937.tif 000005
【図５】
0005319937.tif 000006